(57)【要約】【課題】特別な梱包用の資材を使わずに３Ｄビューワを取り付け可能で、かつ、全体の外形サイズが３Ｄビューワを取り付ける前後で変わらない包装箱を提供することを課題とする。【解決手段】第１及び第２の天フラップ及び蓋により開口部が覆われている包装箱であって、前記第１の天フラップには３Ｄビューワが形成されていて、前記３Ｄビューワは端末収納部及び仕切り板を有する背面板と双眼レンズ部と、を含むことを特徴とする包装箱。【選択図】図１
2017109743.tif 000002
【特許請求の範囲】
【請求項１】
第１及び第２の天フラップ及び蓋により開口部が覆われている包装箱であって、
前記第１の天フラップには３Ｄビューワが形成されていて、
前記３Ｄビューワは端末収納部及び仕切り板を有する背面板と双眼レンズ部と、を含むことを特徴とする包装箱。
【請求項２】
請求項１に記載の包装箱であって、
前記第１及び第２の天フラップを閉じた状態では前記第２の天フラップが前記双眼レンズ部と重なることを特徴とする包装箱。
【請求項３】
請求項１または２に記載の包装箱であって、
前記３Ｄビューワの前記双眼レンズ部は前記背面板に折罫を介して連接されていて、
前記双眼レンズ部は、当該折罫により前記背面板と向かい合うように折り畳まれることを特徴とする包装箱。
【請求項４】
請求項３に記載の包装箱であって、
前記第２の天フラップは、前記背面板との間の折罫で折り畳まれた状態の前記双眼レンズ部と重なることを特徴とする包装箱。
【請求項５】
第１及び第２の天フラップ及び蓋により開口部が覆われている包装箱であって、
前記第１の天フラップには３Ｄビューワが連接されていて、
前記３Ｄビューワは端末収納部及び仕切り板を有する背面板と双眼レンズ部と、を含むことを特徴とする包装箱。
【請求項６】
請求項５に記載の包装箱であって、
前記３Ｄビューワの前記双眼レンズ部は前記背面板に折罫を介して連接されていて、
前記双眼レンズ部は、当該折罫により前記背面板と向かい合うように折り畳まれることを特徴とする包装箱。
【請求項７】
請求項５または６に記載の包装箱であって、
前記双眼レンズ部に配置されるレンズは、片側が平面で他方が凸面の形状を有する平凸レンズであることを特徴とする包装箱。
【請求項８】
請求項６に記載の包装箱であって、
前記双眼レンズ部は、平凸レンズの凸面側が前記背面板側になるように折り畳まれることを特徴とする包装箱。
【請求項９】
請求項５〜８のいずれか１に記載の包装箱であって、
前記３Ｄビューワが包装箱の中仕切りとなることを特徴とする包装箱。
【請求項１０】
請求項１〜９のいずれか１に記載の包装箱であって、
前記３Ｄビューワが当該包装箱から分離できることを特徴とする包装箱。
【発明の詳細な説明】
【技術分野】
【０００１】
本発明は、取り外し可能な３Ｄビューワ付きの包装箱に関する。
【背景技術】
【０００２】
人間が物を立体として認識できる理由は、その物を、左右の２つの目によって互いに異なる角度から見ているからである。したがって、人間の両眼の視差と同じ角度差になるように、一つの物を互いに異なる角度から見た少なくとも２つの画像を、対象者の左右の目にそれぞれ振り分けて提示すれば、左右の目に映る画像が脳内で同時に知覚されて合成されるため、対象者は立体的な感覚を得ることができる。そして、表示装置に表示されたこのような視差画像を見るためのビューワが提案されている。
【０００３】
例えば、双眼レンズと、表示装置を支持する支持手段と、双眼レンズにおける２つのレンズの間から支持手段に向かって延びる仕切り板と、双眼レンズと支持手段と仕切り板とを繋ぐアームとを備えるビューワが提案されている。使用者は、仕切り板と支持手段との間に、画像の表示される表示面を双眼レンズ側に向けて表示装置を挟み、双眼レンズを通して、表示装置に表示される視差画像を見る（特許文献１参照）。
【０００４】
また、表示装置を載置する台座部を有するビューワも提案されている。こうした構成によれば、机などの台上に台座部を置き、台座部に表示装置を載置することによって、使用者は、ビューワや表示装置を手で持つことなく、観察姿勢を安定させて視差画像を見ることができる（特許文献２参照）。
【０００５】
ところで、近年、包装箱の外側にクーポン券やおまけを取り付ける所謂オンパック・プレミアムによる販売促進が多く行われている。そして、特許文献１、２に示されるようなビューワをオンパック・プレミアムとして包装箱に取り付けたいという要望も出てきている。
【０００６】
しかし、従来のビューワは包装箱に取り付けることを想定していないため、プラスチックや金属を使ったものがほとんどであり、小さく折り畳むことができないものも多かった。
また、ビューワを資材で梱包する場合には、レンズ部分に傷が付きやすいため、梱包を何重にもして厳重にする必要があった。そのため、例えば飲料缶４〜６本程度を包装する包装箱に取り付けられる程度に、ビューワを小さく梱包することは非常に困難であった。
【０００７】
また、オンパック・プレミアムを包装箱の外側に取り付けると全体の外形サイズが大きくなり、オンパック・プレミアム付きの商品は商品棚に並べられる数が少なくなってしまう。そのため、オンパック・プレミアムが付いていない商品を同じ数量運ぶ時よりも輸送コストが高くなってしまうだけでなく、店舗販売する際にも、店舗の中にオンパック・プレミアム商品専用の大きな載置スペースを確保する、若しくは商品の補充を頻繁に行う必要があり、販売店舗にとっても不便な商品であった。
【先行技術文献】
【特許文献】
【０００８】
【特許文献１】特開２０１３−１９０４５０号公報
【特許文献２】登録実用新案第３１８５４５８号公報
【発明の概要】
【発明が解決しようとする課題】
【０００９】
本発明は上記のような事情に鑑みてなされたもので、特別な梱包用の資材を使わずに３Ｄビューワを取り付け可能で、かつ、全体の外形サイズが３Ｄビューワを取り付ける前後で変わらない包装箱を提供することを課題とする。
【課題を解決するための手段】
【００１０】
本発明は係る課題に鑑みなされたものであり、本発明の請求項１の発明は、第１及び第２の天フラップ及び蓋により開口部が覆われている包装箱であって、前記第１の天フラップには３Ｄビューワが形成されていて、前記３Ｄビューワは端末収納部及び仕切り板を有する背面板と双眼レンズ部と、を含むことを特徴とする包装箱である。
【００１１】
また、本発明の請求項２の発明は、請求項１に記載の包装箱であって、前記第１及び第２の天フラップを閉じた状態では前記第２の天フラップが前記双眼レンズ部と重なることを特徴とする包装箱である。
【００１２】
また、本発明の請求項３の発明は、請求項１または２に記載の包装箱であって、前記３Ｄビューワの前記双眼レンズ部は前記背面板に折罫を介して連接されていて、前記双眼レンズ部は、当該折罫により前記背面板と向かい合うように折り畳まれることを特徴とする包装箱である。
【００１３】
また、本発明の請求項４の発明は、請求項３に記載の包装箱であって、前記第２の天フラップは、前記背面板との間の折罫で折り畳まれた状態の前記双眼レンズ部と重なることを特徴とする包装箱である。
【００１４】
本発明の請求項５の発明は、第１及び第２の天フラップ及び蓋により開口部が覆われている包装箱であって、前記第１の天フラップには３Ｄビューワが連接されていて、前記３Ｄビューワは端末収納部及び仕切り板を有する背面板と双眼レンズ部と、を含むことを特徴とする包装箱である。
【００１５】
また、本発明の請求項６の発明は、請求項５に記載の包装箱であって、前記３Ｄビューワの前記双眼レンズ部は前記背面板に折罫を介して連接されていて、前記双眼レンズ部は、当該折罫により前記背面板と向かい合うように折り畳まれることを特徴とする包装箱である。
【００１６】
また、本発明の請求項７の発明は、請求項５または６に記載の包装箱であって、前記双眼レンズ部に配置されるレンズは、片側が平面で他方が凸面の形状を有する平凸レンズであることを特徴とする包装箱である。
【００１７】
また、本発明の請求項８の発明は、請求項６に記載の包装箱であって、前記双眼レンズ部は、平凸レンズの凸面側が前記背面板側になるように折り畳まれることを特徴とする包装箱である。
【００１８】
また、本発明の請求項９の発明は、請求項５〜８のいずれか１に記載の包装箱であって、前記３Ｄビューワが包装箱の中仕切りとなることを特徴とする包装箱である。
【００１９】
また、本発明の請求項１０の発明は、請求項１〜９のいずれか１に記載の包装箱であって、前記３Ｄビューワが当該包装箱から分離できることを特徴とする包装箱である。
【発明の効果】
【００２０】
本発明の請求項１の発明によれば、プレミアム品である３Ｄビューワが包装箱の天フラ
ップに形成されているため、特別な梱包資材を必要としない。また、３Ｄビューワが付いていても包装箱の外形サイズが大きくなることも無い。
このため、輸送コストを低く抑えることが可能であるだけでなく、小さなスペースにも商品をぎっしり載置できるので販売店舗も不便を感じることなく商品を販売することが可能となる。
【００２１】
また、本発明の請求項２の発明によれば、包装箱の１対の天フラップを閉じた時に、前記第１の天フラップに形成された前記３Ｄビューワの前記双眼レンズ部と前記第２の天フラップが重なる構造となるため、前記双眼レンズ部は包装箱内に収納された商品に直接触れることが無い。これにより、傷つき易い前記双眼レンズ部の傷つきを防止することが可能となる。
【００２２】
また、本発明の請求項３の発明によれば、前記双眼レンズ部を前記背面板との間の折罫により折り畳むことにより、前記双眼レンズ部が前記背面板により保護される構造となる。
この構造により、傷つき易い前記双眼レンズ部の傷つきを容易に防止することが可能となる。
【００２３】
また、本発明の請求項４の発明によれば、前記双眼レンズ部が前記背面板と向かい合うように折り畳まれた上に、前記双眼レンズ部と前記第２の天フラップが重なる構造となっていることにより、前記双眼レンズ部の両面を前記背面板と前記第２の天フラップで保護することが可能となるため、より確実に前記双眼レンズ部の傷つきを防止することが可能となる。
【００２４】
本発明の請求項５の発明によれば、プレミアム品である３Ｄビューワが包装箱の天フラップに連接されているため、特別な梱包資材を必要としない。また、３Ｄビューワが付いていても包装箱の外形サイズが大きくなることも無い。
このため、輸送コストを低く抑えることが可能であるだけでなく、小さなスペースにも商品をぎっしり載置できるので販売店舗も不便を感じることなく商品を販売することが可能となる。
【００２５】
また、本発明の請求項６の発明によれば、前記双眼レンズ部を前記背面板との間の折罫により折り畳むことにより、前記双眼レンズ部が前記背面板により保護される構造となる。
この構造により、傷つき易い前記双眼レンズ部の傷つきを容易に防止することが可能となる。
【００２６】
また、本発明の請求項７の発明によれば、前記双眼レンズ部に配置されるレンズが平凸レンズであるため、レンズと物体の間の距離及びレンズと像の間の距離が異なる場合にも球面収差を小さくすることが可能であり、両面が凸面である凸レンズを用いる場合に比べて視認性を高めることが可能となる。
【００２７】
また、本発明の請求項８の発明によれば、前記平凸レンズの凸面側が前記背面板と向かい合うようにして前記双眼レンズ部を折り畳むことが可能となるため、最も傷つき易い前記双眼レンズ部の凸面部の傷つきを容易に防止することが可能となる。
【００２８】
また、本発明の請求項９の発明によれば、前記３Ｄビューワが包装箱の中仕切りとしての役割も果たすため、包装箱に収納された商品の輸送時の横ずれを防止することも可能となる。
【００２９】
また、本発明の請求項１０の発明によれば、前記３Ｄビューワが包装箱から分離できるため、前記３Ｄビューワの使用者は、必要な時に前記３Ｄビューワを包装箱から切り離して使用することが可能となる。
【図面の簡単な説明】
【００３０】
【図１】第１の実施形態の包装箱のブランクを模式的に示す平面図である。
【図２】第１の実施形態の包装箱の使用形態を模式的に示す説明図である。（ａ）は第１の天フラップを上に持ち上げた状態、（ｂ）は双眼レンズ部を折り畳んで第２の天フラップと重ねた状態を示す。
【図３】第１の実施形態の３Ｄビューワを包装箱から切り離して使用する使用形態を模式的に示す説明図である。（ａ）は斜め上方から見た状態、（ｂ）は側面から見た状態を示す。
【図４】第２の実施形態の包装箱のブランクを模式的に示す平面図である。
【図５】第２の実施形態の包装箱の使用形態を模式的に示す説明図である。
【発明を実施するための形態】
【００３１】
＜第１の実施形態＞
以下、本発明を実施するための第１の実施形態につき図１〜３を参照して説明する。
【００３２】
第１の実施形態の包装箱１は、図１に示したブランクを一点破線で示した罫線を折って、必要部分をグルーなどで貼着して製函する。罫線は、押罫、ミシン罫、リード罫など、いずれの罫線でも構わない。
【００３３】
本実施形態の包装箱１は、右側面側板１０５、正面側板１０６、左側面側板１０７、背面側板１０８からなる側板を有し、これらを偏平に折り畳んだ状態から筒状に起こすことによって、底部分が形成されるオートボトムタイプの箱である。
また、背面側板１０８の左側には、側部貼着部が設けられていて、右側面側板１０５の右側に当該側部貼着部が貼着され、背面側板１０８の左側と右側面側板１０５の右側が接続されるようになっている。
【００３４】
右側面側板１０５と左側面側板１０７の下端には、側部連設板１０９、１０９が連設され、正面側板１０６と背面側板１０８の下端には、前後連設板１１０、１１０が設けられていて、前後連設板１１０、１１０には折罫を挟んで、それぞれ、底部貼着板１１１、１１１が設けられている。
底部分を形成するには、背面側板１０８の左側に設けられた側部貼着部を右側面側板１０５の右側に貼着させ、側板を筒状にする。その後、前後連設板１１０、１１０と底部貼着板１１１、１１１の間を谷折りし、側部連設板１０９、１０９と、前後連設板１１０、１１０を筒状の内方に折込み、底部貼着板１１１、１１１の内面を隣り合った側部連設板１０９、１０９の外面にそれぞれ、接着剤などで接着させる。これにより、オートボトムタイプの箱の底部分ができる。
そして、側板を折畳んだ状態から、筒状に立ち上げると、底部貼着板１１１、１１１と側部連設板１０９、１０９が接着しているので、側部連設板１０９、１０９と前後連設板１１０、１１０などが略平面状になり、前後連接板１１０、１１０と底部貼着板１１１、１１１の境界が突き合わされて底部分を固定する。このように、胴部分の側板を折畳んだ状態から筒状に立ち上げるとそれに伴い底部分が形成される。このような箱を、オートボトムタイプと呼ぶ。
なお、本実施形態ではオートボトムタイプを採用しているが、これに限らず、底部分が閉じられて箱としての体裁が整っていれば底部分の構造はどのようなものでも良い。
【００３５】
また、右側面側板１０５の上端には第２の天フラップ１０２、左側面側板１０７の上端
には第１の天フラップ１０１がそれぞれ連設されている。正面側板１０６の上端には、外蓋１０４と外蓋差込片１０４ａが順次連設されている。また、背面側板１０８の上端には、内蓋１０３と内蓋差込片１０３ａが順次連設されている。
また、内蓋１０３と背面側板１０８の境界およびその近傍に、開孔部および切込み線からなる差込口１０３ｂが、外蓋差込片１０４ａを差し込み固定するために設けられている。
【００３６】
第１の天フラップ１０１は、全体が３Ｄビューワ２になっていて、左側面側板１０７側から、台座部２８、背面板２３、双眼レンズ部２４、係止部２６の順に連接されている。背面板２３には仕切り板２２及び端末収納部２１が形成されている。
また、第２の天フラップ１０２には、その長さ方向の略中央に、右側面側板１０５との境界と平行な折罫が設けられている。
【００３７】
本実施形態の包装箱１の蓋を閉める際、第１の天フラップ１０１は、図２（ａ）に示すように第２の天フラップ１０２の上に重ねるようにする。そして、図２（ｂ）に示すように、背面板２３と双眼レンズ部２４の間の折罫で折り畳んで第２の天フラップ１０２上に重ねてから内蓋１０３及び外蓋１０４を閉める。
このような構成にすることにより、双眼レンズ部２４は、第２の天フラップ１０２及び背面板２３に挟まれた状態となるため、輸送中にも包装箱１に収納された商品等で双眼レンズ部２４が傷つくことはない。
【００３８】
また、このとき、第１の天フラップ１０１の重みにより第２の天フラップ１０２に設けられた折罫で第２の天フラップ１０２の先端が下方に折れ曲がる。この構成が双眼レンズ部２４付近の緩衝の役割を果たすので、双眼レンズ部２４の傷つきをより低減することが可能となる。
【００３９】
このようにして、第２の天フラップ１０２及び第１の天フラップ１０１を内方に倒した後、内蓋１０３をその上に倒して内蓋差込片１０３ａを正面側板１０６の内面に沿うように差込み、次に外蓋１０４を内蓋１０３の上に重なるように倒して、外蓋差込片１０４ａを差込口１０３ｂに差し込むことにより、包装箱１の組み立てが完了する。
【００４０】
なお、本実施形態では、内蓋１０３に吊り手１０３ｃ及び指差し込み用の指孔１０３ｄを設け、吊り手１０３ｃ及び指孔１０３ｄに重なる位置の外蓋１０４に吊り手１０３ｃを立ち上げるための吊り手孔１０４ｂを設けて、吊り手１０３ｃを手で持って持ち運ぶことのできるキャリーバック形状の包装箱１としているが、蓋部分の構造はこれに限らない。３Ｄビューワ２を形成する第１の天フラップ１０１及び第２の天フラップ１０２とその上を覆う内蓋１０３若しくは外蓋１０４を有していれば良い。
【００４１】
次に、３Ｄビューワ２について説明する。
本実施形態の３Ｄビューワ２は第１の天フラップ１０１を構成していて、左側面側板１０７との境界で切り取って、包装箱１と分離して３Ｄビューワ２のみで使用することができる。
【００４２】
３Ｄビューワ２は、双眼レンズ部２４を備えている。双眼レンズ部２４には２つの貫通孔が左右方向に並ぶように形成され、この貫通孔が形成された部分に双眼レンズが配置されることによって構成されている。
双眼レンズ部２４に貼着されるレンズシート２５は、例えばプラスチック製であり、１枚の平坦なプレートに左レンズと右レンズとの２つのレンズが形成された構成を有する。
なお、双眼レンズ部２４が左レンズと右レンズとを保持し、双眼レンズ部２４の２つの貫通孔の各々にレンズが配置される構成であれば、例えば、左レンズと右レンズとは別の部材であってもよいし、レンズが双眼レンズ部２４の貫通孔に嵌合されることによって双眼
レンズ部２４が形成されてもよい。
【００４３】
３Ｄビューワ２を使用する際にはまず、背面板２３の一部に設けられた仕切り板２２を背面板２３に対して垂直になるように折罫で山折りする。その後、双眼レンズ部２４を、レンズシート２５の左右の２つのレンズの間が仕切り板２２の上に乗るようにして折罫で折り曲げ、双眼レンズ部２４に連接された係止部２６に仕切り板２２の先端に設けられた係止片２７を挿入して係止固定する。
そして、背面板２３の一部であって仕切り板２２の下には端末収納部２１が形成されていて、端末収納部２１と台座部２８の間の折罫を折り曲げて台座部２８が双眼レンズ部２４及び仕切り板２２の下に配置することにより、図３（ａ）及び図３（ｂ）に示すような３Ｄビューワ２の組み立てが完了する。
【００４４】
３Ｄビューワ２の使用者が、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の携帯情報端末のディスプレイに表示された画像を、３Ｄビューワ２を使って見る際には、３Ｄビューワ２を包装箱１から分離して組み立てた後、台座部２８上の端末収納部２１に、仕切り板２２が左目用画像と右目用画像の境界に重なるように配置する。
そして、３Ｄビューワ２を顔の前に構え、右目で右レンズを通して右空間を覗き、左目で左レンズを通して左空間を覗く。携帯情報端末のディスプレイには、両眼視差に応じた差異を有する右目用の視差画像と左目用の視差画像とが並べて表示され、右目用の視差画像は右空間に対向し、左目用の視差画像は左空間に対向する。使用者は、右目で右レンズを通して右目用の視差画像を見るとともに、左目で左レンズを通して左目用の視差画像を見る。これにより、使用者には、視差画像に含まれる対象が立体的に見える。
【００４５】
本実施形態のような包装箱１とすることにより、特別な梱包用の資材を使わずに３Ｄビューワ２を包装箱１に取り付け可能で、かつ、包装箱１全体の外形サイズが３Ｄビューワ２を取り付ける前後で変わらない包装箱１を提供することが可能となる。
【００４６】
包装箱１は例えば飲料缶４本を収納した状態で３Ｄビューワ２を取り付けて販売されることにより、３Ｄビューワ２付きであることをアピールして販売促進効果を得られるだけでなく、通常の飲料缶４本入りの包装箱と同じ大きさであるため、販売店舗が輸送や陳列に不便を感じることなく販売することが可能となる。
【００４７】
＜第２の実施形態＞
以下、本発明を実施するための第２の実施形態につき図４、５を参照して説明する。
【００４８】
第２の実施形態の包装箱１０は、３Ｄビューワ２が第１の天フラップ全体を構成するのではなく、第１の天フラップ１２１に３Ｄビューワ２が連接されている点で第１の実施形態の包装箱１と異なる。
【００４９】
本実施形態では、図４に示すように、左側面側板１０７の上端に連接された第１の天フラップ１２１に３Ｄビューワ２が連接されている。３Ｄビューワ２の構成は第１の実施形態と同様に、第１の天フラップ１２１側から、台座部２８、背面板２３、双眼レンズ部２４、係止部２６の順に連接されている。そして、背面板２３には仕切り板２２及び端末収納部２１が形成されている。
【００５０】
また、第２の天フラップ１２２には第１の実施形態における第２の天フラップ１０２のような折罫は無く、第１の天フラップ１２１と３Ｄビューワ２の境界と第２の天フラップ１２２が突合せとなるようになっている。
【００５１】
本実施形態において、包装箱１０の蓋を閉める際には、図５に示したように、第１の天フラップ１２１と３Ｄビューワ２の境界線で折り曲げて３Ｄビューワ２を下方に垂れ下げることにより、３Ｄビューワ２が包装箱１０の中仕切りとなる。
【００５２】
３Ｄビューワ２の双眼レンズ部２４に配置されるレンズシート２５のレンズは、片側が平面で他方が凸面の形状を有する平凸レンズであることが好ましい。これは、レンズと物体の間の距離及びレンズと像の間の距離が異なる場合にも球面収差を小さくすることが可能であり、両面が凸面である凸レンズを用いる場合に比べて視認性を高めることが可能となるからである。
また、レンズの向きは、背面板２３と双眼レンズ部２４の間の折罫で折り畳んだときに、レンズの凸面側が背面板２３と向かい合うようにする。このような構成にすることにより、レンズの平面側は双眼レンズ部２４に設けられた貫通孔の奥に配置されて、貫通孔より表面に飛び出さないので、レンズ表面が傷つきにくくなる。
【００５３】
また、３Ｄビューワ２を中仕切りとする際には、背面板２３と双眼レンズ部２４の間の折罫で折り畳んだ状態で３Ｄビューワ２を垂れ下げる。
このような構成にすることにより、双眼レンズ部２４のレンズの凸面側は、背面板２３に守られた状態となるため、輸送中にも包装箱１０に収納された商品等で双眼レンズ部２４の凸面が傷つく虞を無くすことが可能となる。
【００５４】
本実施形態のような包装箱１０とすることにより、特別な梱包用の資材を使わずに３Ｄビューワ２を包装箱１０に取り付け可能で、かつ、包装箱１０全体の外形サイズが３Ｄビューワ２を取り付ける前後でほとんど変わらない包装箱１０を提供することが可能となる。
【００５５】
包装箱１０は例えば飲料缶４本を収納した状態で３Ｄビューワ２を取り付けて販売されることにより、３Ｄビューワ２付きであることをアピールして販売促進効果を得られるだけでなく、通常の飲料缶４本入りの包装箱と同じ大きさであるため、販売店舗が輸送や陳列に不便を感じることなく販売することが可能となる。
【００５６】
商品を購入し、包装箱１０に取り付けられた３Ｄビューワ２を入手した購入者が３Ｄビューワ２を使用する際にはまず、第１の天フラップ１２１から３Ｄビューワ２を切り取って包装箱１０から３Ｄビューワ２を分離する。そして、第１の実施形態と同様に３Ｄビューワを組み立てて携帯情報端末を収納して画像表示することにより、立体画像を見ることが出来るようになる。
【符号の説明】
【００５７】
１、１０・・・包装箱
２・・・３Ｄビューワ
２１・・・端末収納部
２２・・・仕切り板
２３・・・背面板
２４・・・双眼レンズ部
２５・・・レンズシート
２６・・・係止部
２７・・・係止片
２８・・・台座部
１０１、１２１・・・第１の天フラップ
１０２、１２２・・・第２の天フラップ
１０３・・・内蓋
１０４・・・外蓋
１０５・・・右側面側板
１０６・・・正面側板
１０７・・・左側面側板
１０８・・・背面側板
１０９・・・側部連接板
１１０・・・前後連接板
１１１・・・底部貼着板
【図１】
2017109743.tif 000003
【図２】
2017109743.tif 000004
【図３】
2017109743.tif 000005
【図４】
2017109743.tif 000006
【図５】
2017109743.tif 000007